(57)【要約】　　　（修正有）【課題】屋内外に携帯して使用できるとともに、構造が簡単で、低コストで容易に製造でき、さらに、部材等の交換、清掃等のメンテナンスも簡単に行える焼香台装置を提供する。【解決手段】ケース体１２と、電気発熱体１４を含む焼香部１６と、電池と、電池から電気発熱体１４へ通電させる第１通電経路と商用ＡＣ１００Ｖ電源から電気発熱体へ通電させる第２通電経路とを切替接続する切替接続手段と、を有し、電気発熱体１４は、その香受け面３３を上面側に露出させる伝熱体３８と、伝熱体３８に雌雄嵌合状かつ脱着可能に接続される棒状電極体と、で構成されて、灰受け部２６内に配置して設けられたことを特徴とする焼香台装置１０から構成される。特に焼香部の構造が簡単で、容易かつ低コストに製造できるとともに、部材の交換、清掃等のメンテナンスも簡単に行える。【選択図】図１
0003100444.tif 000002
【実用新案登録請求の範囲】
【請求項１】
　ケース体と、
　ケース体内部に配置され、電気を通電させることにより加熱されて香を燃焼させる電気発熱体を含む焼香部と、
　ケース体内部に配置され電気発熱体に電気を供給し得る電池と、
　電池から電気発熱体へ通電させる第１通電経路と商用ＡＣ１００Ｖ電源から電気発熱体へ通電させる第２通電経路とを切替接続する切替接続手段と、を有し、
　電気発熱体は、その香受け面を上面側に露出させる伝熱体と、伝熱体に雌雄嵌合状かつ脱着可能に接続される棒状電極体と、で構成されて、灰受け部内に配置して設けられたことを特徴とする焼香台装置。
【請求項２】
　電気発熱体は、棒状電極体が雌雄嵌合状に接続され灰受け部内に埋め込み状に配置される伝熱体の縦長胴部と、その上部に香受け面を形成しつつ横方向に拡大した拡大部と、を一体的に有する構造体からなる請求項１記載の焼香台装置。
【請求項３】
　電気発熱体の香受け面が灰受け部の面よりも高い位置にあるように配置させた請求項１または２記載の焼香台装置。
【請求項４】
　灰受け部は、ケース体内に設置された内部ケースに区画されて設けられ、
　内部ケース内に挿入孔付きの板状部材を水平状に支持させ、
　電気発熱体の縦長胴部を挿入孔に挿入して香受け面を露出させる状態で係止させることを特徴とする請求項２または３記載の焼香台装置。
【考案の詳細な説明】
【技術分野】
【０００１】
　本考案は、例えば、葬儀、法事、その他で焼香する際等に用いられる焼香台装置に関する。
【背景技術】
【０００２】
　葬儀、法事等においては参列者が仏壇の前で拝む際に焼香を行う。従来、焼香の際には、例えば、香炉内の灰の上に火をつけた炭を載置しておき、その炭の上に細かく破砕状に加工された香を落として燃焼させるものであった。しかし、従来の香炉は、炭に火を起こすための準備が煩雑であったり、または火力を維持する時間が比較的短い等の問題があるために長時間使用するのが困難である等の問題があった。これに対し、商用ＡＣ１００Ｖ電源に接続される電気ヒータを用いた電気香炉が近時用いられている。従来の電気香炉は火力維持の時間についての問題は解消しうるものの近くに商用ＡＣ１００Ｖ電源がない屋外の場合には使用することができず使い勝手が悪いものであった。
【０００３】
　一方、特開２０００−３００４２４号公報には、上記の不具合点を解決するために電池を利用してヒータ加熱させる携帯用の電子香炉が提案されている。特開２０００−３００４２４号の電子香炉は、ケーシング２と、ヒータブロック１１と、蓄電池２３と、を有しており、スイッチのＯＮ操作で蓄電池から電気供給してヒータブロック１１の電気ヒータ２５を加熱させて、屋外でも香を焚くことができるようになっている。さらに、電気ヒータ用の電源は、蓄電池２３あるいはＡＣ／ＤＣ変換器による直流電源に切り替えて供給される機構を有しており、必要に応じて、コードを付設することにより商用電源を使用できるように設けられているものであった。
【特許文献１】特開２０００−３００４２４号
【考案の開示】
【考案が解決しようとする課題】
【０００４】
　しかしながら、特開２０００−３００４２４号の電子香炉のヒータブロック１１では、ヒータ２５から発生した熱を逃がさず燃焼皿７に効率良く伝達させるために、香が投入される燃焼用ホール１０が穿孔された断熱性上方板８と断熱性下方板９との間に、補助板２６で燃焼皿７と板状電気ヒータ２５とを締め付けたものを上方板８の燃焼用ホール１０の底部から燃焼皿７が露出するように挟んで積層構造とし、例えば、ねじ等で上下の板の隅部を固定して一体化した構成なので、部品点数が多いとともに、構造が複雑であり、ねじ孔や部材の細かな位置決めも必要であるので組立作業も煩雑となり、製造コストが高くつくものであった。さらに、例えば、焼香後の汚れの清掃や、電熱線が劣化、断線した板状電気ヒータ２５の交換等を行う際等にも、分解組立するのにいちいち手間がかかりメンテナンスを行いにくいものであった。また、上方板８の燃焼用ホール１０から凹部に香を入れて底部の燃焼皿７で香を燃焼させるので、例えば、葬儀等で大勢の参列者が焼香する際に、比較的早期に燃焼用ホール１０内に灰がたまってしまい、燃焼効率が悪くなるとともに、こまめな灰の除去を必要とするが、その除去作業もしにくく、使い勝手が悪いものであった。
【０００５】
　本考案は、上記従来の課題に鑑みてなされたものであり、その一つの目的は、使用場所が限定されることがない利便性を維持しつつ、構造が簡単で、組立作業が簡単であり、低コストで製造でき、さらに、部材等の交換、清掃等のメンテナンスをも簡単に行える焼香台装置を提供することにある。また、他の目的は、香を燃焼させる部分の確認が容易であるとともに該燃焼部分から簡単に灰を灰受け部に除去することができ、灰による燃焼効率の低下が少ない焼香台装置を提供することにある。
【課題を解決するための手段】
【０００６】
　上記課題を解決するために、本考案は、ケース体１２と、ケース体１２内部に配置され、電気を通電させることにより加熱されて香Ｋを燃焼させる電気発熱体１４を含む焼香部１６と、ケース体１２内部に配置され電気発熱体１４に電気を供給し得る電池１８と、電池１８から電気発熱体１４へ通電させる第１通電経路と商用ＡＣ１００Ｖ電源から電気発熱体へ通電させる第２通電経路とを切替接続する切替接続手段（２０）と、を有し、電気発熱体１４は、その香受け面３３を上面側に露出させる伝熱体３８と、伝熱体３８に雌雄嵌合状かつ脱着可能に接続される棒状電極体４２と、で構成されて、灰受け部２６内に配置して設けられたことを特徴とする焼香台装置１０から構成される。ケース体は内部を分割して例えば香収納用の部分を形成してもよいし、また、意匠的な威厳を保持するために任意の装飾を施したケース外観としてもよい。電気発熱体への電源供給は商用ＡＣ１００Ｖ電源からの電源確保がされているかどうかを自動的に検出して、されていない場合に電池からの通電を行なうように制御する制御装置などを組み込むとよい。電池は一次電池でも二次電池でもよいが、充電による蓄電機能を有する電池であるのが好適である。電気発熱体の灰受け部内への配置に際しては、露出する香受け面はある程度の大きさを有するものであるとよい。電気発熱体の香を受ける部分は平面でも、凹凸面でもよいし、また、場合によって着色を施してもよい。電極と伝熱部とを別体で構成し、使用時にこれを嵌合させて用いるようにするから、伝熱部の任意の形態のものへの交換使用が可能である。
【０００７】
　また、電気発熱体１４は、棒状電極体４２が雌雄嵌合状に接続され灰受け部２６内に埋め込み状に配置される伝熱体３８の縦長胴部３４と、その上部に香受け面３３を形成しつつ横方向に拡大した拡大部３６と、を一体的に有する構造体からなることとしてもよい。棒状電極体は、熱効率を良くするためにその大部分が伝熱体に挿入されるように嵌合されるとよい。電気発熱体１４の形状は、例えば、側面視Ｔ字状、Ｌ字状等その他の形状で良く、又は横断面形状は、矩形状、円形状等、その他任意形状でもよい。
【０００８】
　また、その際に電気発熱体１４の香受け面３３が灰受け部２６の面よりも高い位置にあるように配置させるとよい。
【０００９】
　また、灰受け部２６は、ケース体１２内に設置された内部ケース６０に区画されて設けられ、内部ケース６０内に挿入孔７０付きの板状部材６８を水平状に支持させ、電気発熱体１４の縦長胴部３４を挿入孔７０に挿入して香受け面３３を露出させる状態で係止させることとしてもよい。板状部材は必ずしも閉鎖する平面板でなくとも格子状あるいは連通し得る孔を設けたフレーム部材でもよい。板状部材の下部側には灰が収納されたものでも灰がない単なる中空としたものでもよい。好ましくは、板状部材自体をケース体に対して脱着自在とするとよい。
【考案の効果】
【００１０】
　本考案の焼香台装置によれば、ケース体と、ケース体内部に配置され、電気を通電させることにより加熱されて香を燃焼させる電気発熱体を含む焼香部と、ケース体内部に配置され電気発熱体に電気を供給し得る電池と、電池から電気発熱体へ通電させる第１通電経路と商用ＡＣ１００Ｖ電源から電気発熱体へ通電させる第２通電経路とを切替接続する切替接続手段と、を有し、電気発熱体は、その香受け面を上面側に露出させる伝熱体と、伝熱体に雌雄嵌合状かつ脱着可能に接続される棒状電極体と、で構成されて、灰受け部内に配置して設けられたので、屋内外を問わずまた長時間に及ぶ焼香の際にも中断することなく連続した焼香を受けることができる上に、特に焼香部の構造が簡単で製造容易、低コスト、使用時の組み立ての簡易性、良好なメンテンナンス性を保持し得る。さらに、伝熱体と電極とを別体で構成して嵌合使用とする結果、焼香時に直接に目に触れる伝熱体部分の形状、広さ、色彩、模様等を自由に設定して交換使用ができ、参列者の傾向に応じた最適な焼香台のイメージを形成し得る。
【００１１】
　また、電気発熱体は、棒状電極体が雌雄嵌合状に接続され灰受け部内に埋め込み状に配置される伝熱体の縦長胴部と、その上部に香受け面を形成しつつ横方向に拡大した拡大部と、を一体的に有する構造体からなることにより、電気発熱体の安定支持状態を得る構成を簡単な構成で実現できるとともに、加えてケース体の下部側からの電気配線がしやすくなり、組み付け容易性の実効を確保し得る。
【００１２】
　また、該焼香台装置の電気発熱体の香受け面が灰受け部の面よりも高い位置にあるように配置させた構成とすることにより、灰受け部より段上がり位置に香を載せる位置があるから、焼香に訪れる人が香の落下部分の確認に戸惑うことなく、円滑に焼香を進めることが可能である。また、縦長胴部とその上部に横方向に拡大した拡大部とを一体的に有する電気発熱体の構造から、これを灰受け部の面よりも高い位置にあるように埋め込み配置させることを簡易な構成で実現し得る。
【００１３】
　また、灰受け部は、ケース体内に設置された内部ケースに区画されて設けられ、内部ケース内に挿入孔付きの板状部材を水平状に支持させ、電気発熱体の縦長胴部を挿入孔に挿入して香受け面を露出させる状態で係止させることを構成であるから、特に灰受け部としての板状部材に対して電気発熱体の脱着が容易で、低コスト、使用時の組み立ての簡易性、良好なメンテンナンス性を保持でき、とくに板状部材の掃除を簡単に行えるので常に灰受け部を清潔に美しく保つことができる。
【考案を実施するための最良の形態】
【００１４】
　以下、添付図面を参照しつつ、本考案の焼香台装置の実施形態について説明する。本考案の焼香台装置は、仏前に限らず屋内外の任意の場所に持ち運びして机や台の上に配置され、必要に応じて、内蔵する電池から電気発熱体への電気供給または商用ＡＣ１００Ｖから電気発熱体への電気供給によって電気発熱体を加熱し焼香を行える焼香台装置である。図１ないし図５は、本考案の焼香台装置の第１実施形態を示しており、本実施形態に係る焼香台装置１０は、ケース体１２と、電気発熱体１４を含む焼香部１６と、電池１８と、切替接続装置２０と、を有している。
【００１５】
　本実施形態において、ケース体１２は、図１、図２、図３に示すように、内部に焼香部１６と、電池１８と、切替接続装置２０とを一体的に組付けた収容ケースである。ケース体１２は、例えば、耐熱性プラスチック等の合成樹脂から形成された、略立体矩形状で上面側を開口した中空の有底箱体からなる。ケース体１２の下方側は、底壁１２１より下に突設した脚部が形成されており、底壁１２１の下に空間が形成されている。本実施形態では、ケース体１２には、中空内部を下方で連通させつつ左右に２分割するように仕切る仕切り壁２２が設けられている。ケース体内部は仕切り壁２２により、焼香部１６が配置される焼香部空間１２ａと、それに並設されて香収納部２４が配置される収納部空間１２ｂと、が形成される。尚、ケース体１２には、必ずしも仕切り壁２２を設けて香収納部を配置させる必要はなく、別途に香Ｋを収容する箱を用意することとしても良い。
【００１６】
　焼香部１６は、香Ｋを燃焼させる部分であり、電気を通電させることにより加熱されて香Ｋを燃焼させる電気発熱体１４と、電気発熱体が配置される灰受け部２６と、を有している。本実施形態において、焼香部１６は、図１、図２に示すように、ケース体１２の上から嵌装状に配置される内部ケース２８内に、灰受け部２６を保持させて形成されている。内部ケース２８は、例えば、鉄等の金属製の上面を開口した有底箱体からなり、上面の開口縁から外側に張り出したフランジ部３０が形成されており、該フランジ部３０をケース体１２及びその仕切り壁２２の中空内部側に切欠段下がりした切欠段差３２に係止させてケース体１２内部に配置されている。図４にも示すように、本実施形態において、灰受け部２６は、例えば、灰、断熱性をもった合成樹脂製の小球ビーズ、その他の粒径の比較的細かい粒子を敷き詰めたものからなり、その内部に電気発熱体１４を埋め込み配置している。
【００１７】
　図４、図５に示すように、電気発熱体１４は、香Ｋを受ける香受け面３３を上面側に形成した伝熱体３８と、伝熱体３８に雌雄嵌合状に脱着可能に接続される棒状電極体４２と、から構成されており、香受け面３３を露出させながら灰受け部２６の略中央に埋め込みさせて、該灰受け部により安定支持されている。本実施形態において、伝熱体３８は、棒状電極体４２を嵌合装着させる電極体装着穴４０が設けられた縦長胴部３４とその上部から上面側に香受け面３３が形成されつつ拡大された拡大部３６とで一体的に形成されている。伝熱体３８は、例えば、伝熱性が高い銅等の金属から形成されており、断面矩形状の縦長直方体を縦長胴部３４としつつ、その上部を左右に板状に張り出して拡大部３６とし、拡大部３６が平面視略横長矩形状に形成されている。尚、伝熱体は、例えば、円筒形状の縦長胴部と、その上端に外側に円形に張り出した拡大部との構成でもよく、その他形状任意でも良く、材質も銅に限らず、伝熱性が高い金属、合金等その他任意でよい。特に、伝熱体の香受け面を含む露出部分の形状、大きさ、模様等は自由に設定してもよい。例えば、伝熱体の露出部分を外観が炭に見えるように矩形板状に形成して黒色に着色しておくと違和感を感じにくい。伝熱体３８の縦長胴部３４の下端から内部に縦に電極体装着穴４０がメクラ穴状に穿孔されている。一方、棒状電極体４２は、通電されて熱を発生する熱発生源であり、例えば、ステンレス製の棒状体に、ニクロム線等の電熱線を埋め込んで形成されている。棒状電極体４２は、下方から電線４４を延長させながら電極体装着穴４０に下から差し込みして嵌合装着され、例えば、縦長胴部を横から電極体装着穴４０に向けて貫通するねじをねじ込んで接続されている。棒状電極体から延長される電線４４は、内部ケースの底を貫通して下方に引出され、後述する切替接続装置２０に接続されている。
【００１８】
　図２に示すように、電気発熱体１４は、伝熱体３８と棒状電極体４２とを一体に組付けた状態で全体として略Ｔ字状の形状をしており、上面側の香受け面３３を露出させながら、棒状電極体４２を含む縦長胴部３４を灰受け部２６の中に埋め込み配置される。これにより、特に焼香部１６の組立が容易であるとともに、灰の清掃や棒状電極体４２の交換等のメンテナンスも簡単に行え、さらに、焼香時に直接に目に触れる伝熱体部分を自由に設定して交換使用ができる。また、電気発熱体１４を灰受け部に配置した際に縦長胴部の下から配線をケース体内部に引出して、組付けを簡単に行うことが出来る。本実施形態では、伝熱体３８の拡大部の張り出し下面が灰受け部の面に当接する位置まで埋め込ませて電気発熱体１４の香受け面３３が灰受け部の面より高い位置に設定されている。従って、香を落とす焼香位置がはっきりとわかりやすく焼香を行いやすいとともに、電気発熱体の香受け面に溜まる灰を容易に灰受け部に払い落とすことができるので香の燃焼効率を低下させにくい。
【００１９】
　また、本実施形態において、電気発熱体１４の電気配線は、切替接続装置２０を介して、電池１８及び商用ＡＣ１００Ｖ電源、さらに、電源スイッチ４６と、接続されている。切替接続装置２０は、切替接続装置によって電池から電気発熱体１４へ電気供給させるように通電する第１通電経路と、商用ＡＣ１００Ｖ電源から電気発熱体１４へ電気供給させるように通電する第２通電経路と、を切替接続して、電池または商用ＡＣ１００Ｖ電源のいずれかの電源から電気供給させる。図２において、切替接続装置は、ケース体の底壁に固定されており、ケース体１２底壁に設けられた接続端子４８を介して、ＡＣ／ＤＣ変換器５０を着脱自在に接続される。切替接続装置２０の、第１通電経路と、第２通電経路との切替えは、例えば、手動スイッチによる切替接続や、商用ＡＣ１００Ｖ電源との接続状態を自動で検出して切替接続する構成等、その他、種々のスイッチング回路等を利用した任意の構成でも良い。
【００２０】
　図２、図３に示すように、本実施形態では、電池１８は、例えば、鉛蓄電池、アルカリ蓄電池等の蓄電池からなり、香収納部２４の下方側に、ケース体の仕切り壁２２に位置決めされてケース体内の底壁上に配置されている。一方、電源スイッチ４６は、そのスイッチ操作部分をケース体の側壁から外に露出させておき、ケース体の外面からスイッチ切替操作して、電池または商用ＡＣ１００Ｖ電源から電気発熱体への通電のＯＮ，ＯＦＦ切替をする。尚、電源スイッチ４６には、発光ダイオード等を接続させて、電気発熱体の通電状態が点灯により確認できるようにしておくと良い。
【００２１】
　図６、図７は、本実施形態において、切替接続装置の動作のフローチャート及び動作表を示しており、これらを参照しつつ切替接続装置の動作を簡単に説明する。図６、図７に示すように、ＡＣ／ＤＣ変換器５０が接続端子４８に接続されて商用ＡＣ１００Ｖ電源と接続されている場合においては、例えば、電圧を自動的に検出して（又は手動スイッチを切替えて）第２通電経路側に切替接続し、電源スイッチ４６をＯＮにすると商用ＡＣ１００電源を利用して電気発熱体が発熱する。また、ＡＣ／ＤＣ変換器５０を接続している際に、電池（蓄電池）の残量を検出して商用ＡＣ１００Ｖ電源を利用して電池を充電するように接続切替を行うようにしておくと効果的である。一方、ＡＣ／ＤＣ変換器５０が接続されていない場合では、例えば、自動的に検出して（又は手動スイッチを切替えて）第１通電経路側に接続切替し、電源スイッチ４６をＯＮにすると、電池を利用して電気発熱体が発熱する。このように必要に応じて、内蔵された電池または商用ＡＣ１００Ｖ電源を利用でき、屋内外の所要場所に携帯して長時間の焼香を行うこともできる。
【００２２】
　また、図２に示すように、焼香部１６に並設されている香収納部２４は、例えば、フランジ部５２を有した上面開口の収納ケース５４を有しており、収納部空間１２ｂ側に配置され、フランジ部５２をケース体１２及び仕切り壁２２の上端側に設けられた切欠段差５６を介して係止されている。さらに、香収納部２４は、未使用時に被せられる蓋５８を有している。
【００２３】
　次に、本実施形態の作用について説明する。焼香台装置１０を組み立てる際には、上記のように、伝熱体３８の縦長胴部３４に棒状電極体４２を嵌合装着して電気発熱体１４を一体構成し、該電気発熱体の縦長胴部３４を内部ケースに例えば灰等をある程度の深さで敷き詰めて形成した灰受け部２６内に向けて埋め込み配置させる。この際、拡大部３６によって灰受け部２６の上面に当接する位置まで埋め込みさせて、電気発熱体の香受け面３３が灰受け部２６の上面よりも上に容易に設定することができる。さらに、電気発熱体からの配線はケース体下部から容易に引出すことができ、ケース内部での切替え接続装置等との配線を楽に行える。したがって、特に焼香部１６の構造は簡単で容易に組付けることができ、低コストで製造できる。また、他の形状、色彩の伝熱体への交換、電極線の交換または灰等の清掃等のメンテナンスの際にも、容易に分解組立してすることができる。焼香台装置を屋内で使用する際には、ＡＣ／ＤＣ変換器５０を介して商用ＡＣ１００Ｖ電源からの電気供給により、長時間使用することができる。また、焼香台装置を屋外等、商用ＡＣ１００Ｖのない場所で使用する際には、内蔵している電池を電源として、長時間使用することができる。使用の際には、電気発熱体の拡大部が灰受け部よりも上に配置されているので、香Ｋを落とす位置を確認しやすく、また、灰の除去も容易に行える。上述のような焼香部の簡単な構成による組付け、製造及びメンテナンス等の容易さと、装置自体の携帯性かつ長時間使用可能な構成との相乗効果により、従来品に比べてより良好な使い勝手を実現できる。
【００２４】
　次に、図８を参照しつつ、本考案の焼香台装置の焼香部の他の形態を示しており、上記実施形態と同一部材には同一符号を付しその詳細な説明を省略する。本実施形態において焼香部以外の部分については、例えば、上記実施形態と同様のもので構成してもよい。図８において、焼香部１６ａは、内部ケース６０と、内部ケース６０に保持させる灰受け部６２と、灰受け部内に配置される電気発熱体１４と、を有している。本実施形態において、内部ケース６０は、略上記形態と同じ形態であり、上面を開口した有底の箱体で、上面開口縁に外側張り出したフランジ部６４を有している。内部ケース６０の略中間位置には、内部ケース内側に向けて突設された係止板６６を介して、板状部材６８が水平に支持されている。板状部材６８は、例えば、断熱性を有する内部ケースの内側と略同じ大きさの矩形平板で形成されており、略中央に上下方向に貫通した挿入孔７０が穿孔されている。板状部材６８が内部ケース内に配置されて灰受け部６２を構成する。
【００２５】
　電気発熱体１４は、上記実施形態と同様の構成であり、縦長胴部３４と拡大部３６を有する伝熱体３８と、棒状電極体４２と、を有している。電気発熱体１４は、縦長胴部３４を板状部材６８の挿入孔７０に挿入しながら、拡大部３６を板状部材６８の上面側に係止させた状態で配置されている。これにより、電気発熱体と灰受け部６２との組付け構造が簡単で焼香部１６の構成が簡単に設計でき、低コストで簡単に製造できるとともに、メンテナンスも簡単に行える。また、上記実施形態の灰受け部に比べて、板状部材を用いるので、組立分解等の際の取り扱いが比較的容易である。
【００２６】
　以上説明した本考案の焼香台装置は、上記した実施の形態にのみ限定されるものではなく、実用新案登録請求の範囲に記載した考案の本質を逸脱しない範囲の変形も本考案に含まれる。
【図面の簡単な説明】
【００２７】
【図１】本考案の第１実施形態にかかる焼香台装置の平面説明図である。
【図２】図１のＡ−Ａ線断面図である。
【図３】図１の焼香台装置の焼香部及び香収納部を外した状態の平面図である。
【図４】焼香部の分離状態要部断面説明図である。
【図５】電気発熱体の分離状態説明図である。
【図６】切替接続装置の切替動作を示すフローチャートである。
【図７】切替接続装置と電源スイッチとの関係をしめす動作表である。
【図８】他の実施形態に係る焼香台装置の焼香部の断面要部説明図である。
【符号の説明】
【００２８】
　１０　焼香台装置
　１２　ケース体
　１４　電気発熱体
　１６　焼香部
　１８　電池
　２０　切替接続装置
　２６　灰受け部
　３４　縦長胴部
　３６　拡大部
　３８　伝熱体
　４２　棒状電極体
　６８　板状部材
　７０　挿入孔
【図１】
0003100444.tif 000003
【図２】
0003100444.tif 000004
【図３】
0003100444.tif 000005
【図４】
0003100444.tif 000006
【図５】
0003100444.tif 000007
【図６】
0003100444.tif 000008
【図７】
0003100444.tif 000009
【図８】
0003100444.tif 000010